(57)【要約】【課題】座席が前後方向に複数列設置された自動車の空調装置に設けられるものであって、各列付近ごとの温度を視認することができる車載用空調装置の温度分布表示装置を提供することにある。【解決手段】例えば座席が前後方向に３列設置された自動車の空調装置に設けられ、第１〜第３温度センサ１〜３により各列付近の温度が検知され、検知された各温度に相当する温度信号のそれぞれがマイクロコンピュータ４に出力される。そして、マイクロコンピュータ４の第１〜第３表示制御部５〜６により、各温度信号に基づく制御信号が表示手段８に出力され、これにより、表示手段８の液晶表示管９の前列温度表示領域１０、中列温度表示領域１１および後列温度表示領域１２に各列付近の温度が表示されるようにした。【選択図】　　　図２
2004142712.tif 000002
【特許請求の範囲】
【請求項１】
座席が前後方向に複数列設置された自動車の空調装置に設けられるものであって、各列ごとに設けられ、その列付近の温度を検知し、検知した温度に相当する温度信号を出力する複数の温度検知手段と、各列に対応する複数の表示領域を有し、各列付近の温度を表示する表示手段と、前記複数の温度検知手段のそれぞれから出力された温度信号のそれぞれに基づいて、前記表示手段を制御するための制御信号を出力する制御手段とを備えることを特徴とする車載用温度分布表示装置。
【請求項２】
請求項１記載の発明において、前記空調装置が、目標温度を設定する際に操作され、目標温度に相当する目標温度信号を出力する温度設定部を備えるものであって、
前記表示手段が、前記複数の温度検知手段により検知された温度のそれぞれが、前記目標温度よりも所定値以上高いのか、所定値以上低いのか、前記目標温度との差が所定値未満なのかに応じて、前記各表示領域を異なる所定の色に発色させるものであり、
制御手段が、前記目標温度を記憶する目標温度記憶部と、前記複数の温度検知手段のそれぞれにより検知された温度のそれぞれを記憶する複数の温度記憶部と、これらの温度記憶部のそれぞれに記憶された温度のそれぞれが、前記目標温度よりも所定値以上高いのか、所定値以上低いのか、前記目標温度との差が所定値未満なのかを判定する複数の温度判定部と、これらの温度判定部のそれぞれによる判定結果のそれぞれに応じて、前記表示手段に制御信号を出力する複数の表示制御部とを含むものであることを特徴とする車載用温度分布表示装置。
【発明の詳細な説明】
【０００１】
【発明の属する技術分野】
本発明は、空調装置により空調される室内の温度分布を表示する温度分布表示装置に関する。
【０００２】
【従来の技術】
従来から、空調装置より冷暖房された室内の温度分布を表示する温度分布表示装置には、被検知領域を複数の領域に分割して各領域ごとの温度を検知する温度検知手段と、各領域に対応する複数の表示領域を有し、前記温度検知手段が検知した各領域の温度情報を各領域に対応させて表示する表示手段とを備えるものがある。
【０００３】
前記温度検知手段は、サーモパイルモジュールである。前記表示手段は、空調装置のリモコンの液晶表示部に設けられており、温度が高いほど色が濃くなる階調により室内の温度分布を表示するものである。そして、表示手段には、各領域に対応するアドレス信号、および検知された温度データがマイクロコンピュータにより与えられるようになっている。
【０００４】
このように構成された温度分布表示装置では、サーモパイルモジュールにより各領域の温度が検出されると、各領域のアドレス信号および温度データが、マイクロコンピュータを介して表示手段に与えられる。これにより、表示手段では、アドレス信号および温度データに基づく各領域の温度が色の濃淡により表示される。
【０００５】
【特許文献１】
特開２００１−１５３９６６号公報
（段落００２２〜００３４，００５１〜００５３、図１４）
【０００６】
【発明が解決しようとする課題】
ところで、上述の温度分布表示装置は、建物の室内の空調を行なう空調装置に設けられるものであり、車内の空調を行なう車載用空調装置に設けられるものはなかった。したがって、座席が前後方向に複数設置された自動車では、各列付近ごとの温度差を把握しにくく、車室内の温度調整が困難であった。
【０００７】
本発明は、上述の実状を考慮してなされたものであり、その目的は、座席が前後方向に複数列設置された自動車の空調装置に設けられるものであって、各列付近ごとの温度を視認することができる車載用温度分布表示装置を提供することにある。
【０００８】
【課題を解決するための手段】
上述の目的を達成するために、本発明の車載用温度分布表示装置は、座席が前後方向に複数列設置された自動車の空調装置に設けられるものであって、各列ごとに設けられ、その列付近の温度を検知し、検知した温度に相当する温度信号を出力する複数の温度検知手段と、各列に対応する複数の表示領域を有し、各列付近の温度を表示する表示手段と、前記複数の温度検知手段のそれぞれから出力された温度信号のそれぞれに基づいて、前記表示手段を制御するための制御信号を出力する制御手段とを備えることを特徴としている。
【０００９】
このように構成した本発明では、各温度検出手段により、各列付近の温度が検知され、検知された各温度に相当する温度信号のそれぞれが制御手段に出力される。そして、制御手段により、各温度信号に基づく制御信号が出力される。これにより、表示手段では、各列付近の温度が各表示領域に表示される。したがって、本発明では、各列ごとの温度を視認することができる。
【００１０】
また、前記本発明において、前記空調装置が、目標温度を設定する際に操作され、目標温度に相当する目標温度信号を出力する温度設定部を備えるものであって、前記表示手段が、前記複数の温度検知手段により検知された温度のそれぞれが、前記目標温度よりも所定値以上高いのか、所定値以上低いのか、前記目標温度との差が所定値未満なのかに応じて、前記各表示領域を異なる所定の色に発色させるものであり、制御手段が、前記目標温度を記憶する目標温度記憶部と、前記複数の温度検知手段のそれぞれにより検知された温度のそれぞれを記憶する複数の温度記憶部と、これらの温度記憶部のそれぞれに記憶された温度のそれぞれが、前記目標温度よりも所定値以上高いのか、所定値以上低いのか、前記目標温度との差が所定値未満なのかを判定する複数の温度判定部と、これらの温度判定部のそれぞれによる判定結果のそれぞれに応じて、前記表示手段に制御信号を出力する複数の表示制御部とを含むものであることを特徴としている。
【００１１】
このように構成したものでは、空調装置により車内の空調を行なう際、温度設定部が操作され、目標温度信号が制御手段に出力される。そして、目標温度信号に示される目標温度が、制御手段の目標温度記憶部により記憶される。
【００１２】
また、複数の温度検出手段により各列付近の温度が検知され、検知された各温度に相当する各温度信号が制御手段に出力される。そして、各温度信号に示される温度が、制御手段の各温度記憶部により記憶される。
【００１３】
次に、制御手段では、各温度判定部により、各列付近の温度が目標温度よりも所定値以上高いのか、所定値以上低いのか、目標温度との差が所定値未満なのかが判定され、この判定結果に基づいて各表示制御部から表示手段に制御信号が出力される。
【００１４】
これにより、表示手段では、各列付近の温度が目標温度よりも所定値以上高いのか、所定値以上低いのか、各列付近の温度と目標温度との差が所定値未満なのかに応じて、各表示領域が異なる所定の色に発色する。すなわち、各列付近の温度が、目標温度よりも所定値以上高いのか、所定値以上低いのか、各列付近の温度と目標温度との差が所定値未満なのかが表示される。したがって、この発明では、目標温度を基準にした各列付近の温度の高低を視認することができる。
【００１５】
【発明の実施の形態】
以下に、本発明の車載用温度分布表示装置の実施形態について説明する。
【００１６】
はじめに、第１実施形態について、図１，２を用いて説明する。
【００１７】
図１は、第１実施形態の構成を示すブロック図、図２は、図１に示す表示手段に備えられる液晶表示管を示す図である。
【００１８】
第１実施形態は、図示しないが、座席が前後方向に複数列、例えば３列設置された自動車の空調装置に設けられるものである。
【００１９】
また、第１実施形態は、図１に示すように、各列付近ごとの温度を検知し、検知した温度に相当する温度信号を出力する複数の温度検知手段、すなわち、第１温度センサ１、第２温度センサ２および第３温度センサ３を備えている。第１温度センサ１は、運転席と助手席からなる前列の付近の温度を検知し、第１温度信号を出力するものである。第２温度センサ２は、前列の後方に位置する中列の付近の温度を検知し、第２温度信号を出力するものである。第３温度センサ３は、中列の後方に位置する後列の付近の温度を検知し、第３温度信号を出力するものである。
【００２０】
また、第１実施形態は、図１，２に示すように、各列付近の温度を表示する表示手段８を備えている。この表示手段８は、図２に示すように、例えば液晶表示管９を備えている。この液晶表示管９は、例えばインストルメントパネルに設置されている。また、この液晶表示管９は、前列付近の温度を表示する前列温度表示領域１０と、中列付近の温度を表示する中列温度表示領域１１と、後列付近の温度を表示する後列温度表示領域１２とを有する。各温度表示領域１０〜１２には、温度を示す２桁の数値がデジタル表示されるようになっている。
【００２１】
また、第１実施形態は、図１に示すように、表示手段８を制御するための制御信号を出力する制御手段、すなわち、マイクロコンピュータ４を備えている。このマイクロコンピュータ４には、第１表示制御部５、第２表示制御部６および第２表示制御部７が内蔵されている。第１表示制御部５は、第１温度センサ１からの第１温度信号に示される温度を、前列温度表示領域１０に表示させるために、表示手段８を制御する制御信号を出力するものである。第２表示制御部６は、第２温度センサ２からの第２温度信号に示される温度を、中列温度表示領域１１に表示させるために、表示手段８を制御する制御信号を出力するものである。第３表示制御部７は、第３温度センサ３からの第３温度信号に示される温度を、後列温度表示領域１２に表示させるために、表示手段８を制御する制御信号を出力するものである。
【００２２】
このように構成した第１実施形態は、次のように動作する。
【００２３】
第１温度センサ１では、前列付近の温度が検知され、第１温度信号がマイクロコンピュータ４に出力される。そして、マイクロコンピュータ４の第１表示制御部５によって、第１温度信号に基づく制御信号が出力され、表示手段８が制御される。これにより、液晶表示管９の前列温度表示領域１０には、図２に示すように、前列付近の温度が例えば２５℃であることを示す２５という数値がデジタル表示される。
【００２４】
同様に、第２温度センサ２では、中列付近の温度が検知され、第２温度信号がマイクロコンピュータ４に出力される。そして、マイクロコンピュータ４の第２表示制御部６によって、第２温度信号に基づく制御信号が出力され、表示手段８が制御される。これにより、液晶表示管９の中列温度表示領域１１には、図２に示すように、中列付近の温度が前列付近の温度よりも１℃高い２６℃であることを示す２６という数値がデジタル表示される。
【００２５】
同様に、第３温度センサ３では、後列付近の温度が検知され、第３温度信号がマイクロコンピュータ４に出力される。そして、マイクロコンピュータ４の第３表示制御部７によって、第３温度信号に基づく制御信号が出力され、表示手段８が制御される。これにより、液晶表示管９の後列温度表示領域１２には、図２に示すように、後列付近の温度が前列付近の温度よりも２℃高い２７℃であることを示す２７という数値がデジタル表示される。
【００２６】
第１実施形態では、次の効果が得られる。
【００２７】
第１実施形態では、前列付近の温度、中列付近の温度および後列付近の温度のそれぞれを表示手段８により表示させるようにしたので、前列付近の温度、中列付近の温度および後列付近の温度のそれぞれの視認することができ、これにより、車内の温度調整が容易になる。
【００２８】
なお、第１実施形態では、表示手段８が液晶表示管９を備えるものであったが、本発明はこれに限るものではなく、蛍光表示管を備える表示手段でもよい。
【００２９】
また、第１実施形態は、座席が前後方向に３列設置された自動車の空調装置に設けられるものであったが、本発明はこれに限るものではない。すなわち、温度センサ、表示制御部、温度表示領域のそれぞれを、座席の前後方向の列数に対応させれば、座席が２列設置された自動車の空調装置に設けることも、座席が３列より多く設置された自動車の空調装置に設けることもできる。
【００３０】
次に、第２実施形態について、図３，４を用いて説明する。
【００３１】
図３は、第２実施形態の構成を示すブロック図、図４は、図３に示す表示手段に備えられる液晶表示管を示す図である。なお、図３，４に示すもののうち、図１，２に示すものと同等のものには同じ符号を付してある。
【００３２】
第２実施形態は、図示しないが、座席が前後方向に複数列、例えば３列設置された自動車の空調装置に設けられるものであり、特に、目標温度を設定する際に操作され目標温度に相当する目標温度信号を出力する温度設定部を備える空調装置に設けられるものである。
【００３３】
また、第２実施形態は、図３に示すように、各列付近ごとの温度を検知し、検知した温度に相当する温度信号を出力する複数の温度検知手段、すなわち、第１第３温度センサ１、第２温度センサ２および第３温度センサ３を備えている。第１温度センサ１は、運転席と助手席からなる前列の付近の温度を検知し、第１温度信号を出力するものである。第２温度センサ２は、前列の後方に位置する中列の付近の温度を検知し、第２温度信号を出力するものである。第３温度センサ３は、中列の後方に位置する後列の付近の温度を検知し、第３温度信号を出力するものである。
【００３４】
また、第２実施形態は、図３，４に示すように、各列付近の温度を表示する表示手段２５を備えている。この表示手段２５は、図４に示すように、例えば液晶表示管２６を備えている。この液晶表示管２６は、例えばインストルメントパネルに設置されている。また、この液晶表示管２６は、前列温度表示領域２７、中列温度表示領域２８、および、後列温度表示領域２９とを有する。前列温度表示領域２７は、前列付近の温度が目標温度によりも所定値以上高いのか、所定値以上低いのか、目標温度との差が所定値未満なのかを所定の３色により色分けして表示するものである。中列温度表示領域２８も同様に、中列付近の温度が目標温度によりも所定値以上高いのか、所定値以上低いのか、目標温度との差が所定値未満なのかを所定の３色により色分けして表示するものである。後列温度表示領域２９も同様に、後列付近の温度が目標温度によりも所定値以上高いのか、所定値以上低いのか、目標温度との差が所定値未満なのかを所定の３色により色分けして表示するものである。各温度表示領域２７〜２９は、対応する列付近の温度が目標温度よりも１℃以上高いときに例えば赤色に発色し、目標温度よりも１℃以上低いときに例えば青色に発色し、また、目標温度との差が１℃未満のときに例えば白色に発色するように設定してある。
【００３５】
また、第２実施形態は、図３に示すように、表示手段２５を制御するための制御信号を出力する制御手段、すなわち、マイクロコンピュータ１４を備えている。このマイクロコンピュータ１４には、前記温度設定部１３から出力される目標温度信号に示される目標温度を記憶する目標温度記憶部１５が内蔵されている。
【００３６】
また、マイクロコンピュータ１４には、第１温度記憶部１６、第２温度記憶部１９および第３温度記憶部２２が内蔵されている。第１温度記憶部１６は、前記第１温度センサ１から出力される第１温度信号に示される前列付近の温度を記憶するものである。第２温度記憶部１９は、前記第２温度センサ２から出力される第２温度信号に示される中列付近の温度を記憶するものである。また、第３温度記憶部２２は、前記第３温度センサ３から出力される第３温度信号に示される後列付近の温度を記憶するものである。
【００３７】
また、マイクロコンピュータ１４には、第１温度判定部１７、第２温度判定部２０および第３温度判定部２３が内蔵されている。第１温度判定部１７は、第１温度記憶部１６に記憶された前列付近の温度が、目標温度記憶部１５に記憶された目標温度よりも１℃以上高いのか、１℃以上低いのか、目標温度との差が１℃未満なのかを判定するものである。第２温度判定部２０は、第２温度記憶部１９に記憶された中列付近の温度が、目標温度記憶部１５に記憶された目標温度よりも１℃以上高いのか、１℃以上低いのか、目標温度との差が１℃未満なのかを判定するものである。また、第３温度判定部２３は、第３温度記憶部２２に記憶された後列付近の温度が、目標温度記憶部１５に記憶された目標温度よりも１℃以上高いのか、１℃以上低いのか、目標温度との差が１℃未満なのかを判定するものである。
【００３８】
また、マイクロコンピュータ１４には、第１表示制御部１８、第２表示制御部２１および第２表示制御部２４が内蔵されている。第１表示制御部１８は、第１温度判定部１７による判定結果を前記前列温度表示領域２７に表示させるために、表示手段２５を制御する制御信号を出力するものである。第２温度制御部２１は、第２温度判定部２０による判定結果を前記中列温度表示領域２８に表示させるために、表示手段２５を制御する制御信号を出力するものである。第３表示制御部２４は、第３温度判定部２３による判定結果を前記後列温度表示領域２９に表示させるために、表示手段２５を制御する制御信号を出力するものである。
【００３９】
このように構成した第２実施形態は、次のように動作する。
【００４０】
空調装置により車室内を空調する際、温度設定部１３が操作され、目標温度信号がマイクロコンピュータ１４に出力される。この目標温度信号に示される目標温度は、マイクロコンピュータ１４の目標温度記憶部１５により記憶される。
【００４１】
また、第１温度センサ１では、前列付近の温度が検知され、第１温度信号がマイクロコンピュータ１４に出力される。そして、第１温度信号に示される前列付近の温度は、マイクロコンピュータ１４の第１温度記憶部１６により記憶される。次に、第１温度判定部１７によって、第１温度記憶部１６に記憶された前列付近の温度が、目標温度記憶部１５に記憶された目標温度よりも１℃以上高いのか、１℃以上低のいか、目標温度との差が１℃未満なのかが判定される。そして、第１表示制御部１８により、第１温度判定部１７による判定結果に基づく制御信号が出力され、表示手段２５が制御される。
【００４２】
このとき、第１温度判定部１７による判定結果が、例えば前列付近の温度が目標温度よりも１℃以上低いという判定であった場合、液晶表示管２６の前列温度表示領域２７が、青色に発色する。
【００４３】
また、第２温度センサ２では、中列付近の温度が検知され、第２温度信号がマイクロコンピュータ１４に出力される。そして、第２温度信号に示される中列付近の温度は、マイクロコンピュータ１４の第２温度記憶部１９により記憶される。次に、第２温度判定部２０によって、第２温度記憶部１９に記憶された中列付近の温度が、目標温度記憶部１５に記憶された目標温度よりも１℃以上高いのか、１℃以上低のいか、目標温度との差が１℃未満なのかが判定される。そして、第２表示制御部２１により、第１温度判定部２０による判定結果に基づく制御信号が出力され、表示手段２５が制御される。
【００４４】
このとき、第２温度判定部２０による判定結果が、例えば中列付近の温度と目標温度と差が１℃未満であるという判定であった場合、液晶表示管２６の中列温度表示領域２８が、白色に発色する。
【００４５】
また、第３温度センサ３では、後列付近の温度が検知され、第３温度信号がマイクロコンピュータ１４に出力される。そして、第３温度信号に示される後列付近の温度は、マイクロコンピュータ１４の第３温度記憶部２２により記憶される。次に、第３温度判定部２３によって、第３温度記憶部２２に記憶された後列付近の温度が、目標温度記憶部１５に記憶された目標温度よりも１℃以上高いのか、１℃以上低のいか、目標温度との差が１℃未満なのかが判定される。そして、第３表示制御部２４により、第３温度判定部２３による判定結果に基づく制御信号が出力され、表示手段２５が制御される。
【００４６】
このとき、第３温度判定部２３による判定結果が、例えば後列付近の温度が目標温度よりも１℃以上高いという判定であった場合、液晶表示管２６の後列温度表示領域２９が、赤色に発色する。
【００４７】
第２実施形態では、次の効果が得られる。
【００４８】
第２実施形態では、前列付近の温度、中列付近の温度および後列付近の温度のそれぞれが目標温度に対して１℃以上高いのか、１℃以上低いのか、目標温度との差が１℃未満なのかを表示手段２５により表示させるようにしたので、目標温度を基準にした各列付近の温度の高低を視認することができ、これにより、車内の温度調整を容易に行うことができる。
【００４９】
なお、第２実施形態は、表示手段２５が液晶表示管２６を備えるものであったが、本発明はこれに限るものではなく、蛍光表示管を備える表示手段でもよい。
【００５０】
また、第２実施形態は、座席が前後方向に３列設置された自動車の空調装置に設けられるものであったが、本発明はこれに限るものではない。すなわち、温度センサ、温度記憶部、温度判定部、表示制御部および温度表示領域のそれぞれを、座席の前後方向の列数に対応させれば、座席が２列設置された自動車の空調装置に設けることも、座席が３列より多く設置された自動車の空調装置に設けることもできる。
【００５１】
また、第２実施形態は、温度表示領域２７〜２９を発色させることにより、目標温度を基準した各列付近の温度の高低を表示するようにしたが、本発明はこれに限るものではない。すなわち、温度を検知する領域を列ごとに限らずさらに細分化し、その細分化した領域ごとに温度センサを設けて、車内全体の温度を色の階調により表示するようにしてもよい。
【００５２】
【発明の効果】
以上に説明したように、本発明の車載用温度分布表示装置では、各列付近の温度を表示手段により表示するようにしたので、各列ごとの温度を視認することができ、これにより、車内の温度調整を容易に行うことができる。
【００５３】
また、前記発明において、各列付近の温度が目標温度に対して所定値以上高いのか、所定値以上低いのか、目標温度との差が所定値未満なのかを色分けして表示するようにしたので、目標温度を基準にした各列付近の温度の高低を視認することができ、これにより、車内の温度調整を容易に行うことができる。
【図面の簡単な説明】
【図１】本発明の車載用空調装置の第１実施形態の構成を示すブロック図
【図２】図１に示す表示手段に備えられる液晶表示管を示す図である。
【図３】第２実施形態の構成を示すブロック図である。
【図４】図３に示す表示手段に備えられる液晶表示管を示す図である。
【符号の説明】
１　　第１温度センサ（温度検知手段）
２　　第２温度センサ（温度検知手段）
３　　第３温度センサ（温度検知手段）
４　　マイクロコンピュータ（制御手段）
５　　第１表示制御部
６　　第２表示制御部
７　　第３表示制御部
８　　表示手段
９　　液晶表示管
１０　前列温度表示領域
１１　中列温度表示領域
１２　後列温度表示領域
１３　温度設定部
１４　マイクロコンピュータ（制御手段）
１５　目標温度記憶部
１６　第１温度記憶部
１７　第１温度判定部
１８　第１表示制御部
１９　第２温度記憶部
２０　第２温度判定部
２１　第２表示制御部
２２　第３温度記憶部
２３　第３温度判定部
２４　第３表示制御部
２５　表示手段
２６　液晶表示管
２７　前列温度表示領域
２８　中列温度表示領域
２９　後列温度表示領域
【図１】
2004142712.tif 000003
【図２】
2004142712.tif 000004
【図３】
2004142712.tif 000005
【図４】
2004142712.tif 000006